(57)【要約】【課題】  ターンテーブル上にディスクを装着すると共にマグネットを収容したクランパーにて該ディスクを押圧・クランプするディスク装置であって、クランパーの高さを低くすることでディスク装置の薄型化を図る。【解決手段】  クランパー１７に形成した収容空間２９に収容したマグネット２２が外れ落ちないようにクランパープレート２３を取付ける為のクランパーツメ３１を外輪３０の上端から内側へ延ばしている。クランパーツメ３１はマグネット２２が収容される収容空間２９を形成するセンターガイド２５の上端より上方へ突出しないように設け、そしてクランパープレート２３には係止片３５を下側に設けている。該係止片３５を上記クランパーツメ３１に係止すると共に、ストッパー３２に当接することでクランパープレート２３が取付けられる。【選択図】    図７
2005158212.tif 000002
【特許請求の範囲】
【請求項１】
ターンテーブル上にディスクを装着すると共にマグネットを収容したクランパーにて該ディスクを押圧・クランプするディスク装置において、該クランパーに形成した収容空間に収容したマグネットが外れ落ちないようにクランパープレートを取付ける為のクランパーツメが上記収容空間の上端から上方へ突出しないように設け、そしてクランパープレートには係止片を下側に設け、該係止片を上記クランパーツメに係止することでクランパープレートを取付けたことを特徴とする薄型クランパーを備えたディスク装置。
【請求項２】
上記クランパーツメの付近にストッパーを設けてクランパープレートの一方向への回転を防止した請求項１記載の薄型クランパーを備えたディスク装置。
【請求項３】
上記係止片にストッパーを設けてクランパープレートの一方向への回転を防止した請求項１記載の薄型クランパーを備えたディスク装置。
【請求項４】
ターンテーブル上にディスクを装着すると共にマグネットを収容したクランパーにて該ディスクを押圧・クランプするディスク装置において、該クランパーに形成した収容空間に収容したマグネットが外れ落ちないようにクランパープレートを取付ける為のクランパーツメを外輪の上端から内側へ延ばし、該クランパーツメはマグネットが収容される収容空間を形成するセンターガイドの上端より上方へ突出しないように設け、そしてクランパープレートには係止片を下側に設け、該係止片を上記クランパーツメに係止すると共に、ストッパーに当接することでクランパープレートを取付けたことを特徴とする薄型クランパーを備えたディスク装置。
【請求項５】
上記クランパープレートの外周部近傍に凸部を下面に突出して形成した請求項１、請求項２、請求項３、又は請求項４記載の薄型クランパーを備えたディスク装置。
【発明の詳細な説明】
【技術分野】
【０００１】
本発明はターンテーブル上に装着されたディスクをクランプするに際して、クランパーを薄型化したディスク装置に関するものである。
【背景技術】
【０００２】
ディスク装置では光ピックアップを用いてディスクに記録されている信号を読み取ることが出来、この場合、ディスクはターンテーブルに装着されると共にクランプされて回転し、上記光ピックアップは所定の速度でディスクの半径方向に移動するように構成されている。ターンテーブルは駆動モータの主軸と直結されて高速回転し、該ディスクがターンテーブルに装着されただけでは回転中に外れたり、又はターンテーブルとの間に滑りが発生して角速度に位相変化が発生する為にディスクをクランプしている。
【０００３】
クランプ機構のクランパーは回転自在に軸支されてターンテーブルと共に回転し、ターンテーブルに装着されたディスクをクランパーにて挟み込んで回転することが出来る。ここで、クランパーのクランプ手段としてマグネットの吸引力を利用した機構が採用されているが、該マグネットを利用してディスクのクランプ動作を行う技術では、ターンテーブル側に上記マグネットによって吸引される磁性体が設けられている。
【０００４】
ところで、ターンテーブル上に装着されたディスクはクランプされることで外れることなく所定の速度で回転することが出来るが、クランパーとターンテーブルとの位置関係が正確でなくてはならない。ターンテーブルやクランパーに偏荷重が発生するならば、回転ムラや振動を誘発する。マグネットの吸引力を利用してディスクをクランプする場合、該マグネットを保持する機構にガタがあるならば、ディスクの回転に伴ってクランパーのターンテーブルに対する位置がズレる。その結果、回転ムラ及び振動が大きくなるために、これらの現象の発生を防止する為に、クランプ機構のクランパープレートとクランパーとの位置関係の精度を高め、クランパーをクランパープレートに取付けている係合ツメの外れを防止している。
【０００５】
一方、ディスクはターンテーブルに装着されてクランパーにてクランプされる為に、ディスク装置を薄型化する為には該クランパーの高さ(厚さ)を小さくしなくてはならない。すなわち、薄型のクランパーが必要となる。実用新案登録第３０５９７２９号に係る「円盤状記録ディスクのチャッキング装置」は、円盤状記録ディスクをその上下方向から挟み込むチャッキング装置であり、シャーシ側に設けられたチャッキング保持部材に係止され、円盤状記録ディスクを回転駆動するためのターンテーブルとの間に該ディスクを保持するセンターガイドと、該センターガイドに取付けられ、ターンテーブルに設けられた磁性体と磁気結合されるマグネット及び磁束の通路となるヨーク板とを備え、ヨーク板(クランパープレート)はセンターガイドのチャッキング保持部への係止のために用いられると共に、センターガイドの一端側に形成された係止片(クランパーツメ)が嵌合して該ヨーク板をセンターガイドに取付けるための開口と、該ヨーク板の逆方向からの取付けを不可能とするための突起とが設けられている。
【０００６】
図１０は従来のクランパーの断面構造を示している具体例である。同図に示すように、該クランパー１にはマグネット２を収容すると共に、外れないように上部にはクランパープレート４がクランパーツメ３，３・・に係止している。
ところで、同図に示すような円盤状記録ディスクのチャッキング装置のクランパー１の構造では、クランパープレート４を取付けるためのクランパーツメ３，３・・が上面に突出している。そして、センターガイド５にはマグネット２が収容されるが、大きな磁気力(着磁力)を得るには、それなりの大きさのマグネットが必要となり、クランパーの高さは必然的に大きく成ってしまう。
【特許文献１】実用新案登録第３０５９７２９号に係る「円盤状記録ディスクのチャッキング装置」
【発明の開示】
【発明が解決しようとする課題】
【０００７】
従来のディスク装置を薄肉化するには上記のごとき問題がある。本発明が解決しようとする課題はこの問題点であり、上方にツメ(係止片)が突出しないように構成した高さの低い薄型クランパーを備えたディスク装置を提供する。
【課題を解決するための手段】
【０００８】
本発明に係るディスク装置は薄肉化するためにクランパーの高さが小さく成るように構成している。すなわち、クランパープレートをクランパーに取付ける為のクランパーツメを上面に突出しない構造とし、該クランパーツメが突出しない分だけクランパーの高さは低くなり、ひいてはディスク装置の薄型化を図ることが出来る。
【０００９】
勿論、センターガイドに収容するマグネットの高さ寸法は同じであり、センターガイドの上端に載置して取付けるクランパープレートの下側に係止片を設け、該係止片をクランパーツメに係止して取付ける。ここで、クランパーツメはセンターガイドの上端より突出せず、クランパープレートにて同時に被覆される。そして、クランパープレートの一方向への回転を防止して係止片がクランパーツメから外れないようにストッパーが設けられている。
【００１０】
一方、クランパープレートはプレス打ち抜き加工されるが、プレス打ち抜き加工の打ち抜き面には小さなバリが必然的に発生し、このバリはクランパー支持部に接して削り屑を作る。又、該クランパー支持部との接触に際して接触音を発生する。そこで、上記バリがクランパー支持部に接しないように、しかも該クランパーとの接触面積を小さくするように、凸部をクランパープレートの外周部近傍に成形することも出来る。
【発明の効果】
【００１１】
本発明では、クランパープレートを取付ける為のツメを上面に突出していないために、その分だけクランパーの高さは低くなり、ディスク装置の薄型化を図ることが出来る。すなわち、クランパーに設けたクランパーツメにクランパープレートに形成した係止片が係止して取付けられるが、クランパーツメの円周方向にはストッパーが設けられて係止片は該ストッパーに当たり、クランパープレートの回転が阻止される。
【００１２】
従って、クランパープレートがディスクの回転に伴って回転しても、クランパーツメから外れることはない。そして、センターガイドに収容されるマグネットの高さは同じであり、該クランパーがターンテーブル側の磁性体に引かれる着磁力に変化はない。
【００１３】
さらに、クランパープレートの外周部近傍に凸部を成形するならば、プレス打ち抜き面に発生するバリがクランパー支持部に接して削り屑を出すことはなく、又クランパー支持部に接して接触音を発生することもない。
【実施例】
【００１４】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早戻しボタン、１２ｃは早送りボタン、１２ｄはスキップボタン、１２ｅはトレイオープンボタン／クローズボタンとして機能させることが出来る。
【００１５】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１６】
図２はディスク装置のターンテーブル１５にディスク１６を装着してクランパー１７にてクランプしている場合を示している。モータ１８の主軸１９には上記ターンテーブル１５が取着され、円盤状のターンテーブル１５の中央部は上方へ突出した凸部２０を形成し、該凸部２０の上面部には磁性体２１又はマグネットが取付けられている。ディスク１６の中央には穴が形成され、該穴にターンテーブル１５の中央凸部２０が嵌合することで、ディスク１６はターンテーブル１５の定位置に正しく装着される。
【００１７】
そして、ターンテーブル１５の上に装着されたディスク１６が外れないようにクランパー１７にて上方から押圧されている。この押圧力として該クランパー１７に収容しているマグネット２２の磁気力が用いられる。すなわち、マグネット２２がターンテーブル１５に取着している磁性体２１と引き合うことで、クランパー１７はディスク面に押圧力を作用する。
【００１８】
クランパー１７の中央部に設けた円筒状のセンターガイド内にリング形状のマグネット２２が収容され、該マグネット２２が外れないようにクランパープレート２３が取付けられる。クランパー１７にクランパープレート２３を取付けて収容したマグネット２２が外れ落ちないようにする手段は色々あって、例えば該クランパープレート２３をネジ止めすることも可能である。しかし、ネジ止めしたのでは、カバーの取付け作業工数は多くなり、ネジが緩むこともあり、重量も大きくなる。
【００１９】
前記背景技術の欄にて説明した従来技術にしても、カバーであるクランパープレート２３をワンタッチで取付け出来る構造でなくてはならない。本発明の場合も、ワンタッチの取付け構造とし、しかもクランパープレート２３の外れもなく、重心の位置ズレを発生することもない、さらにクランパープレート２３の上面にはクランパーツメを突出しない構造となっている。
【００２０】
図３はクランパー１７を示している具体例であり、(ａ)は平面図、(ｂ)は断面図、(ｃ)は底面図を各々表している。クランパー１７は円盤状のクランプ部２４と中央部には円筒状センターガイド２５を設け、センターガイド２５の中間には底面２６を形成している。又、クランプ部２４の底面には凸状リング２７が同心を成して設けられている。そして中心には上方へ中央ボス２８ａを、下方へは中央ボス２８ｂを突出し、中央ボス２８ａの周りには収容空間２９を有している。
【００２１】
そして、円筒状のセンターガイド２５と同心を成した外輪３０がクランプ部２４から立ち上がり、そして外輪３０の上端にはクランパーツメ３１ａ，３１ｂ，３１ｃを３箇所に設けている。クランパーツメ３１ａ，３１ｂ，３１ｃは内側へ水平に延び、そして外輪３０の内側にはストッパー３２ａ，３２ｂ，３２ｃが該クランパーツメ３１ａ，３１ｂ，３１ｃと対を成して設けられている。
【００２２】
図４はクランパープレート２３を示している具体例であり、(ａ)は平面図、(ｂ)は断面図、(ｃ)は底面図を表している。該クランパープレート２３は鉄板など金属磁性体を打抜き加工したものであり、中心には中央穴３３を有し、該中央穴３３を中心として穴３４ａ，３４ｂ，３４ｃが３箇所に等間隔で貫通し、これら穴３４ａ，３４ｂ，３４ｃの位置にＬ型をした係止片３５ａ，３５ｂ，３５ｃが形成されている。ここで、上記係止片３５ａ，３５ｂ，３５ｃは穴３４ａ，３４ｂ，３４ｃの下側に位置している。
【００２３】
図５はクランパーの組み立て手順を示している。クランパー１７の収容空間２９にマグネット２２を収容し、そして上方からクランパープレート２３を取付ける。従ってマグネット２２は該収容空間２９から外れ落ちることはない。本発明では、該クランパープレート２３をワンタッチで取付け出来ると共に、クランパープレート２３の上方へクランパーツメ３１，３１・・が突出しないように取付けられる構造となっている。
【００２４】
図６はクランパープレート２３の取付け方法を示している。
(ａ)クランパー１７の円筒状外輪３０にはクランパーツメ３１ａ，３１ｂ，３１ｃが等間隔で内側へ延びているが、クランパープレート２３を外輪３０に載置する。ここで下側へ突出して設けられている係止片３５ａ，３５ｂ，３５ｃは外輪３０の内側に嵌ると共にクランパーツメ３１ａ，３１ｂ，３１ｃの間に位置するように置かれる。
(ｂ)クランパープレート２３を時計方向(矢印方向)へ回転し、係止片３５ａ，３５ｂ，３５ｃをクランパーツメ３１ａ，３１ｂ，３１ｃに係止する。ここで、係止片３５ａ，３５ｂ，３５ｃはクランパーツメ３１ａ，３１ｂ，３１ｃの下側に位置して係止する。
(ｃ)クランパープレート２３をさらに時計方向に回転するならば、係止片３５ａ，３５ｂ，３５ｃは外輪３０から内側へ延びるストッパー３２ａ，３２ｂ，３２ｃに当接して停止する。すなわち、クランパープレート２３はそれ以上回転することが出来ず、一旦係止した係止片３５ａ，３５ｂ，３５ｃがクランパーツメ３１ａ，３１ｂ，３１ｃから外れることはない。
【００２５】
図７はクランパー１７にクランパープレート２３を取付けた場合の断面拡大図を示している。外輪３０から内側へ延びるクランパーツメ３１の下側には係止片３５が係止し、クランパープレート２３の上面にはクランパーツメ３１は突出していない。そして、ターンテーブルに装着されたディスクを上方からクランプして該ディスクと共に回転しても、プランパープレート２３はストッパー３２に当たって外れることはない。
【００２６】
ところで、本発明ではクランパーに取付けられるクランパープレートの上面にクランパーツメが突出しない構造とすることで、薄型クランパーが出来上がる。その為に、クランパープレートはクランパーの上に載置したところで回転してクランパーツメに係止片が係止することが出来る訳であるが、一旦係止した係止片が外れないようにストッパーが形成される。
【００２７】
実施例ではクランパー側にストッパーを設けているが、係止片にストッパーを形成することも可能である。又、クランパーツメに係止するだけでストッパーを必要としない係止形態とすることも出来る。例えば、バネ性に優れた係止片の一部がクランパーツメと係合状態で係止させることも可能である。
【００２８】
図８はクランパープレート２３を示す他の具体例である。基本的な形態は前記図４に示しているクランパープレート２３と同じであり、(ａ)は平面図、(ｂ)は断面図、(ｃ)は底面図を表している。該クランパープレート２３は鉄板など金属磁性体を打抜き加工したものであり、中心には中央穴３３を有し、該中央穴３３を中心として穴３４ａ，３４ｂ，３４ｃが３箇所に等間隔で貫通し、これら穴３４ａ，３４ｂ，３４ｃの位置にＬ型をした係止片３５ａ，３５ｂ，３５ｃが形成されている。ここで、上記係止片３５ａ，３５ｂ，３５ｃは穴３４ａ，３４ｂ，３４ｃの下側に位置している。
【００２９】
そして、該クランパープレート２３の外周部近傍には小さな凸部３６ａ，３６ａ，３６ｂ・・が下面に設けられている。上記凸部３６ａ，３６ａ、３６ｂ，３６ｂ・・は中央穴３３を中心として等間隔に複数個設けられている。
【００３０】
このクランパープレート２３は金型にて金属板から打ち抜きされ、その後、係止片３５ａ，３５ｂ，３５ｃは曲げ加工される。ところで、一般のプレス打ち抜き加工では、打ち抜き面にバリが発生し、このバリがキャビネットに設けているクランパー支持部に接触することで削り屑を作って機器内部に異物として混入する。又、該クランパープレートがクランパー支持部に接触する際には接触音が発生する。
【００３１】
勿論、あらゆるプレス打ち抜き加工の打ち抜き面にバリが発生する訳ではなく、対向ダイスせん断加工法ではバリを発生させないで所定のクランパープレート２３を打ち抜くことは可能であるが、生産性が低くなる欠点がある為に限られた部品以外は一般に用いられない。そこで、本発明では打ち抜き面に発生するバリの高さより高い凸部３６，３６・・がプレス成形されている。ここで、該凸部の個数は特に限定せず、又その形状も任意であって、バリがクランパー支持部３７に接しないようになればよい。
【００３２】
図９はクランパー支持部３７にて該クランパー１７が支持されている場合であり、クランパープレート２３の下面に形成している凸部３６，３６・・が該クランパー支持部３７に接している。クランパープレート２３の打ち抜き面３９には小さなバリ３８が発生しているが、該バリ３８はクランパー支持部３７に接することはない。
【図面の簡単な説明】
【００３３】
【図１】ディスク装置の外観図。
【図２】ターンテーブルに装着されたディスクをクランプした状態。
【図３】クランパーの具体例。
【図４】クランパープレートの具体例。
【図５】クランパーの組立て手順。
【図６】クランパープレートの取付け手順。
【図７】クランパーにクランパープレートを取付けた断面拡大図。
【図８】クランパープレートの別形態。
【図９】クランパーがクランパー支持部によって支持されている場合。
【図１０】クランパーツメを上方へ突出した従来のクランパー。
【符号の説明】
【００３４】
11  トレイ
12  プッシュボタン
13  化粧板
14  キャビネット
15  ターンテーブル
16  ディスク
17  クランパー
18  モータ
19  主軸
20  凸部
21  磁性体
22  マグネット
23  クランパープレート
24  クランプ部
25  センターガイド
26  底面
27  凸状リング
28  中央ボス
29  収容空間
30  外輪
31  クランパーツメ
32  ストッパー
33  中央穴
34  穴
35  係止片
36  凸部
37  クランパー支持部
38  バリ
39  打ち抜き面
【図１】
2005158212.tif 000003
【図２】
2005158212.tif 000004
【図３】
2005158212.tif 000005
【図４】
2005158212.tif 000006
【図５】
2005158212.tif 000007
【図６】
2005158212.tif 000008
【図７】
2005158212.tif 000009
【図８】
2005158212.tif 000010
【図９】
2005158212.tif 000011
【図１０】
2005158212.tif 000012